(57)【要約】【課題】キャッシャへの伝達事項等をサインオンシートに印字発行することにより伝達漏れを防止することが可能となる。【解決手段】サインオン入力したキャッシャに対してメッセージがメッセージテーブル１６に格納されているかチェックする。そして、格納されている場合にはそのメッセージをプリンタ４１によりサインオンシート１００に印字発行する。【選択図】      図７
2015035017.tif 000002
【特許請求の範囲】
【請求項１】
入力手段からの入力された商品販売データの商品登録処理等のデータ処理を行う商品販売データ処理装置において、
操作責任者毎に少なくとも責任者コードを設定記憶する責任者設定記憶手段と、
前記責任者コードに対応してメッセージデータを記憶するメッセージ記憶手段と、
前記責任者コードを入力する責任者コード入力手段と、
この責任者コード入力手段により入力された当該責任者コードで前記責任者設定記憶手段を検索する責任者データ検索手段と、
この責任者データ検索手段により当該責任者コードが検索されると当該責任者コードで前記メッセージ記憶手段を検索するメッセージ検索手段と、
このメッセージ検索手段により当該責任者コードに対応したメッセージデータが検索された場合には当該メッセージデータを特定するメッセージ特定手段と、
このメッセージ特定手段により特定された当該メッセージと当該責任者コードの印字データを生成する印字データ生成手段と、
この印字データ生成手段により生成された前記印字データをサインオンシートに印字発行するサインオンシート印字発行手段と、
を備えたことを特徴とする商品販売データ処理装置。
【請求項２】
入力手段からの入力された商品販売データの商品登録処理等のデータ処理を行う商品販売データ処理装置において、
操作責任者毎の責任者コードと責任者名とを設定記憶する責任者設定記憶手段と、
操作責任者毎に少なくとも前記責任者コードとメッセージデータを記憶するメッセージ記憶手段と、
前記責任者コードを入力する責任者コード入力手段と、
この責任者コード入力手段により入力された当該責任者コードで前記責任者設定記憶手段を検索する責任者データ検索手段と、
この責任者データ検索手段により当該責任者コードが検索されると前記責任者設定記憶手段から当該責任者コードと責任者名を取得する責任者データ取得手段と、
この責任者データ取得手段により取得した当該責任者コードで前記メッセージ記憶手段を検索するメッセージ検索手段と、
このメッセージ検索手段により当該メッセージデータが検索された場合には当該メッセージデータを特定するメッセージ特定手段と、
このメッセージ特定手段により特定された当該メッセージを前面表示部に表示させるメッセージ表示手段と、
前記メッセージ特定手段により特定された当該メッセージと前記責任者データ取得手段により取得された当該責任者コードと責任者名の印字データを生成する印字データ生成手段と、
この印字データ生成手段により生成された前記印字データをプリンタによりサインオンシートに印字発行するサインオンシート印字発行手段と、
を備えたことを特徴とする商品販売データ処理装置。
【請求項３】
入力手段からの入力された商品販売データの商品登録処理等のデータ処理を行う商品販売データ処理装置の制御プログラムにおいて、
操作責任者毎に少なくとも責任者コードを設定記憶する責任者設定記憶機能と、
前記責任者コードに対応してメッセージデータを記憶するメッセージ記憶機能と、
前記責任者コードを入力する責任者コード入力機能と、
この責任者コード入力機能により入力された当該責任者コードで前記責任者設定記憶機能を当該責任者コードで検索する責任者データ検索機能と、
この責任者データ検索機能により当該責任者コードが検索されると当該責任者コードで前記メッセージ記憶機能を検索するメッセージ検索機能と、
このメッセージ検索機能により当該責任者コードに対応したメッセージデータが検索された場合には当該メッセージデータを特定するメッセージ特定機能と、
このメッセージ特定機能により特定された当該メッセージと当該責任者コードの印字データを生成する印字データ生成機能と、
この印字データ生成機能により生成された前記印字データをサインオンシートに印字発行するサインオンシート印字発行機能と、
を実現させるための制御プログラム。
【発明の詳細な説明】
【技術分野】
【０００１】
本発明の実施形態は、ＰＯＳ（Point Of Sales）端末等の商品販売データ処理装置およびその制御プログラムに関する。
【背景技術】
【０００２】
一般に、スーパーマーケット等の量販店では、ユーザーが購入する商品の会計場所ごとにＰＯＳ端末をそれぞれ設置するとともに、店舗の事務所等にストアコンピュータを設置し各ＰＯＳ端末とストアコンピュータとをネットワークで接続したＰＯＳシステムが構築されている。
【０００３】
この種のＰＯＳシステムにおいて、ＰＯＳ端末を操作する操作責任者に対して伝達事項のメッセージデータをストアコンピュータ上で作成し、ネットワークを介して各ＰＯＳ端末の表示部に表示させることにより操作責任者に通知に通知することは行われている。
【０００４】
また、ＰＯＳ端末には各操作責任者を識別する責任者別に、その責任者コードが割り当てられた操作責任者が責任者登録に入力するサインコードや氏名等の責任者情報を記憶する責任者設定テーブルが設けられている。
【０００５】
操作責任者によってサインコードの入力により責任者登録が行われると、責任者設定テーブルを検索して入力されたサインコードが設定されている場合には、それに対応する責任者コードと責任者情報を読出し責任者登録メモリに記憶して、商品販売データの登録操作を可能としている（たとえば、特許文献１参照）。
【先行技術文献】
【特許文献】
【０００６】
【特許文献１】特開２００４−３５５１２６公報
【発明の概要】
【発明が解決しようとする課題】
【０００７】
しかしながら、従来のＰＯＳ端末においては、操作責任者に伝達事項を確実に伝えられなかった。
【０００８】
本発明が解決しようとする課題は、サインオンシートに伝達事項等を印字、発行することで操作責任者に情報を確実に確認することが可能な商品販売データ処理装置およびその制御プログラムを提供しようとするものである。
【課題を解決するための手段】
【０００９】
一実施形態の商品販売データ処理装置において、操作責任者毎に少なくとも責任者コードを設定記憶する責任者設定記憶手段と、前記責任者コードに対応してメッセージデータを記憶するメッセージ記憶手段と、前記責任者コードを入力する責任者コード入力手段と、この責任者コード入力手段により入力された当該責任者コードで前記責任者設定記憶手段を検索する責任者データ検索手段と、この責任者データ検索手段により当該責任者コードが検索されると当該責任者コードで前記メッセージ記憶手段を検索するメッセージ検索手段と、このメッセージ検索手段により当該責任者コードに対応したメッセージデータが検索された場合には当該メッセージデータを特定するメッセージ特定手段と、このメッセージ特定手段により特定された当該メッセージと当該責任者コードの印字データを生成する印字データ生成手段と、この印字データ生成手段により生成された前記印字データをサインオンシートに印字発行するサインオンシート印字発行手段と、を備えたことを特徴とする。
【図面の簡単な説明】
【００１０】
【図１】一実施形態に係わるＰＯＳ端末を含むＰＯＳシステムの全体構成を示す概略図。
【図２】同実施形態に係る責任者設定テーブルのデータ構造の一例を示す模式図。
【図３】同実施形態に係るメッセージテーブルのデータ構造の一例を示す模式図。
【図４】同実施形態に係るＰＯＳ端末のハードウェア構成を示すブロック図。
【図５】同実施形態に係るＰＯＳ端末のＲＡＭに形成する主要なメモリエリアを示す図。
【図６】同実施形態に係るＰＯＳ端末が有するキーボードの主要なキー配置構成の一例を示す平面図。
【図７】同実施形態に係るＰＯＳ端末のＣＰＵが実行するサインオン処理の主要なステップを示すフローチャート。
【図８】同実施形態に係るＰＯＳ端末から印字発行されるサインオンシートの一例を示す図。
【発明を実施するための形態】
【００１１】
以下、本発明の一実施形態について図面を参照しながら説明する。
【００１２】
なお、本実施形態は、販売店舗において商品の販売処理に使用されるＰＯＳ端末を含むＰＯＳシステムに対して本発明を適用した場合である。
【００１３】
図１は、当該店舗において稼働する商品販売データ処理システムとしてのＰＯＳシステム１１の構成図である。このシステム１１は、複数台のＰＯＳ端末１２とストアコンピュータ１３とをＬＡＮ（Local Area Network）等の通信回線１４を介して相互通信可能に接続して構成されている。
【００１４】
各ＰＯＳ端末１２は、当該店舗において商品を購入する客の会計を処理するものであり、各ＰＯＳ端末１２のいずれも操作責任者のサインオン入力により商品販売データ処理が可能となるもので、本実施形態の商品販売データ処理装置として機能する。
【００１５】
ストアコンピュータ１３は、本実施形態におけるサーバ装置として機能するものであり、当該店舗の運営に関する情報を統括管理する。
【００１６】
ストアコンピュータ１３に形成されたハードディスクドライブなどの記憶部には、少なくとも責任者設定テーブル（責任者設定記憶手段）１５およびメッセージテーブル（メッセージ記憶手段）１６が記憶管理されている。
【００１７】
図２は、前記責任者設定テーブル１５のデータ構造の一例を示す模式図である。
【００１８】
この責任者設定テーブル１５は、責任者データである責任者コードのメモリエリアとこのメモリエリアに対応した責任者名のメモリエリアとを備えている。
【００１９】
なお、責任者コードのメモリエリアには、各操作責任者に割り当てられた固有の識別子である責任者コードが記憶されている。また、責任者名のメモリエリアには、当該店舗の操作責任者であるキャッシャの氏名が設定記憶されている。
【００２０】
また、責任者設定テーブル１５に格納されている責任者データは、各ＰＯＳ端末１２に配信されるようになっている。
【００２１】
図３は、メッセージテーブル１６のデータ構造の一例を示す模式図である。
【００２２】
このメッセージテーブル１６は、メッセージＮｏ．のメモリエリアと、このメモリエリアに対応したメッセージのメモリエリアとを形成している。
【００２３】
なお、メッセージＮｏ．は、たとえば、昇順の番号であり、各メッセージを区別するための識別子である。ここで、メッセージデータは図３に示すように１メッセージ毎に固有のメッセージＮｏ．を付けて格納されている。
【００２４】
メッセージテーブル１６のメッセージのメモリエリアに記憶されているメッセージは、各ＰＯＳ端末１２に操作責任者登録（サインオンという）したキャッシャに伝達する事項を知らせるためのメッセージが記憶されている。
【００２５】
図３に示すように、前記メッセージテーブル１６のメッセージＮｏ．１は、たとえば、「本日のポイントは１００円に１ポイントです。設定が違う場合には、チェッカーチーフに連絡ください。」のメッセージが格納されるようになっている。
【００２６】
また、ストアコンピュータ１３は、実装されたソフトウェアによりＰＯＳ端末１２の操作責任者であるキャッシャに対してメッセージ記憶手段に記憶されている連絡事項等のメッセージデータを各ＰＯＳ端末１２に通信回線１４を介して配信するようになっている。
【００２７】
次に、各ＰＯＳ端末１２のハードウェア構成について説明する。
【００２８】
図４、各ＰＯＳ端末１２のハードウェア要部構成を示すブロック図である。
【００２９】
図４に示すように各ＰＯＳ端末１２は、制御部としてのＣＰＵ（Central Processing Unit）２１を搭載している。このＣＰＵ２１に対し、ＲＯＭ（Read Only Memory）２２、ＲＡＭ（Random Access Memory）２３、補助記憶部２４、時計部２５、Ｉ／Ｏポート（Input／Output）２６、スキャナコントローラ２７、キーボードコントローラ２８、表示コントローラ２９、３０、プリンタコントローラ３１、リーダライタコントローラ３２および通信インターフェース３３などの各部を、アドレスバス、データバスなどのバスライン３４を介してそれぞれ接続している。
【００３０】
そして、Ｉ／Ｏポート２６には、モードスイッチ（モードＳＷ）３５、ドロワ開放部３６を接続し、スキャナコントローラ２７にスキャナ３７を接続し、キーボードコントローラ２８にキーボード３８を接続し、表示コントローラ２９に前面表示器３９を接続し、表示コントローラ３０に客面表示器４０を接続し、プリンタコントローラ３１にプリンタ４１を接続し、リーダライタコントローラ３２にリーダライタ４２接続している。
【００３１】
ＣＰＵ２１は、ＲＯＭ２２およびＲＡＭ２３に記憶されたＯＳ（Operating System）、ミドルウェアおよびアプリケーションプログラムに基づいて、ＰＯＳ端末１２としての各種の動作を実現する各部を制御する。
【００３２】
ＲＯＭ２２は、前記オペレーティングシステムを記憶する。またＲＯＭ２２は、前記ミドルウェアやアプリケーションプログラムを記憶する場合もある。また、ＲＯＭ２２はＣＰＵ２１が各種の処理を行う上で参照するデータを記憶する場合もある。
【００３３】
ＲＡＭ２３は、ＣＰＵ２１が各種の処理を行う上で参照するデータを記憶する。
【００３４】
また、ＲＡＭ２３は、ＣＰＵ２１が各種の処理を行う上で一時的に使用するデータを記憶しておく、いわゆるワークエリアとして利用される。ＲＡＭ２３の記憶領域の一部は、商品データエリアと使用される。また、ＲＡＭ２３は、前記ミドルウェアやアプリケーションプログラムを記憶する場合もある。
【００３５】
また、ＲＡＭ２３には、図５に示すように、操作責任者の登録（以下、サインオンと称する）をした操作責任者としてのキャッシャを識別する責任者コードおよび責任者名を格納するサインオンメモリ２３１と、責任者コードに対応してメッセージＮｏ．およびメッセージを格納するメッセージメモリ２３２と、責任者コード、責任者名、メッセージＮｏ．およびメッセージの各データを格納する印字データメモリ２３３とを形成している。
【００３６】
補助記憶部２４は、たとえば、ハードディスクドライブやＳＳＤ（Solid State Drive）などで構成されている。この補助記憶部２４は、各種コンピュータプログラムをインストールしている。これらのコンピュータプログラムは、ＰＯＳ端末１２の起動時、その全部または一部がＲＡＭ２３にコピーされる。ＣＰＵ２１は、ＲＡＭ２３にコピーされたコンピュータプログラムに従った処理を実行する。
【００３７】
また、補助記憶部２４に記憶されるデータには、ストアコンピュータ１３に格納されている責任者設定テーブル１５およびメッセージテーブル１６がコピーされるようになっている。
【００３８】
時計部２５には、定常的に計時動作を行い、日付、時刻を表した日時情報を生成する。
【００３９】
入出力ポート（Ｉ／Ｏ）２６は、モードスイッチ３５が出力するモード信号をモードデータに変換してＲＡＭ２３に書き込む。
【００４０】
モードスイッチ３５は、「登録」、「点検」、「精算」および「設定」などの各種業務モードを選択しその実行をＣＰＵ２１に知らせるためのハードスイッチである。特定の鍵によって回転可能な鍵穴の向きを検出し、その検出結果をモード信号として出力する。鍵穴の向きには業務モードがそれぞれ割り付けられており、モード信号はこれらの動作モードのいずれかが選択されているかを示す信号となる。
【００４１】
また、ＣＰＵ２１からドロワ開放が指示されたことに応じてドロワ開放部３６を駆動するための駆動信号をドロワ開放部３６に対して出力する。
【００４２】
ドロワ開放部３６は、Ｉ／Ｏポート２６からの指令に応じてドロワ（図示せず）を開放する。このドロワの開放は、主に商品販売データ処理において商品の登録が完了した際に、キャッシャが所定の操作で締めを宣言したことに応じて行われる。
【００４３】
スキャナコントローラ２７は、ＣＰＵ２１の制御のもとにスキャナ３７の動作を制御し、スキャナ３７で生成されたスキャンデータをＲＡＭ２３に書き込む。
【００４４】
スキャナ３７は、商品に印刷されたバーコードを読取る。スキャナ３７には固定タイプ及びハンディタイプのいずれか、またはその双方を含む。
【００４５】
なお、スキャナ３７は、商品コード等の入力手段として機能する。
【００４６】
キーボードコントローラ２８は、キーボード３８から操作されたキーに対応するキー信号を取り込みＣＰＵ２１に入力させる。このキーボードコントローラ２８には、ＰＯＳ端末専用のキーボード３８が接続されている。
【００４７】
キーボード３８は、図６に示すように、「００」および「０」〜「９」の置数キーの他、取消キー、×キー、ＰＬＵ（Price Look Up）キー、Ｃキー、小計キー、現計キー、信計キー、責任者キーＫ１（サインオン宣言手段）等の各種キーが配設されている。
【００４８】
ここに、置数キーと責任者キーＫ１は、責任者コード（サインコード）入力手段として機能する。
【００４９】
表示コントローラ２９には、ＣＰＵ２１の制御のもとに前面表示部３９の動作を制御する。
【００５０】
前面表示部３９は、たとえば、ＬＣＤ（Liquid Crystal Display）と、このＬＣＤの表示面上に設けられたタッチパネルとで構成されている。ＣＰＵ２１の制御のもとに任意の画像を表示可能である。前面表示部３９は、操作責任者に対して提示する各種の情報を表した画像を表示する。
【００５１】
表示コントローラ３０は、ＣＰＵ２１からの指令に応じて客面表示部４０を制御し、１取引にてユーザーが購入する個々の商品の代金、それらを合計した合計金額および釣銭額等を表示画面に表示させる。
【００５２】
また、表示コントローラ３０は、タッチパネルが接触操作された際に出力する信号に基づき、ＬＣＤに表示されたＧＵＩ（Graphical User Interface）の操作を検知し、ＣＰＵ２１に通知する。
【００５３】
客面表示部４０は、たとえば、ＬＣＤと、このＬＣＤの表示面上に設けられたタッチパネルとで構成されている。客面表示部４０は、ユーザーに対して提示する各種の情報を表した画像を表示する。
【００５４】
プリンタコントローラ３１は、ＣＰＵ２１の制御のもとにプリンタ４１の動作を制御する。
【００５５】
プリンタ４１は、たとえば、サーマルプリンタなどであり、レシート用紙にレシートおよび図８に示すサインオンシート１００を印刷する
なお、プリンタ４１は、サインオンシート印字発行手段として機能する。
【００５６】
リーダライタコントローラ３２は、ＣＰＵ２１の制御のもとにリーダライタ４２の動作を制御する。
【００５７】
リーダライタ４２は、たとえば、電子媒体に記憶された電子データを読取る。また商品情報等の決済データを電子媒体の記憶部に書き込む処理を行う。
【００５８】
通信インターフェース（Ｉ／Ｆ）３３は、ＬＡＮやインターネットなどの通信回線１４を介してストアコンピュータ１３とのデータ通信を制御する。
【００５９】
前述したように、ＰＯＳ端末１２のＣＰＵ２１は、ＲＡＭ２３にコピーされたコンピュータプログラムに従った処理を実行する。このような処理として、ＣＰＵ２１は、サインオン処理をＰＯＳ端末１２に実行させる。
【００６０】
サインオン処理は、ＰＯＳ端末１２の起動時、ＰＯＳ端末１２を使用する操作責任者を責任者として登録し、この登録をもってＰＯＳ端末１２を使用可能な状態にする処理である。
【００６１】
つぎに、本実施形態におけるＰＯＳ端末のＣＰＵ２１が実行するサインオン処理について説明する。
【００６２】
図７は、ＰＯＳ端末１２のＣＰＵ２１が実行するサインオン処理のステップを示すフローチャートである。この処理は、ＲＯＭ２２に記憶された動作プログラムに基づいて実行される。
【００６３】
先ず、ＣＰＵ２１は、ＰＯＳ端末１２を操作する操作責任者（キャッシャ）の責任者コードが入力されるのを待機する（ステップＳＴ１１）。
【００６４】
たとえば、キーボード３８に設けられた置数キーによって責任者コードが置数され、続いて、責任者キーＫ１が操作され責任者コードが入力されると（ステップＳＴ１１のＹＥＳ）、ＣＰＵ２１は、ステップＳＴ１２として入力された当該責任者コードにより責任者設定テーブル１５を検索する（責任者データ検索手段）。
【００６５】
そして、検索の結果、入力された責任者コードが設定されていなかった場合には（ステップＳＴ１３のＮＯ）ＣＰＵ２１は、エラー処理を前面表示部に３９に表示させる（ステップＳＴ２２）。そして、ＣＰＵ２１は、サインオン処理を終了させる。
【００６６】
一方、検索の結果、入力された責任者コードが設定されていた場合には（ステップＳＴ１３のＹＥＳ）、ＣＰＵ２１は、ステップＳＴ１４として当該責任者コードが設定されている責任者設定テーブル１５に格納されている責任者コードと責任者名を取得する（責任者データ取得手段）とともに、サインオンメモリ２３１に当該責任者コードおよび責任者名を格納する（責任者データ格納手段）。
【００６７】
つぎに、前記責任者設定テーブル１５から取得した当該責任者コードおよび責任者名を印字データメモリ２３３に格納する（ステップＳＴ１５）。
【００６８】
つぎに、ＣＰＵ２１は、ステップＳＴ１６として、メッセージテーブル１６に当該責任者コードに対応するメッセージデータが設定されているかを検索する（メッセージ検索手段）。
【００６９】
ＣＰＵ２１は、メッセージテーブル１６に当該責任者コードと一致する責任者コードに対応するメッセージが格納されている場合には（ステップＳＴ１７のＹＥＳ）、ＣＰＵ２１は、前面表示部３９の画面に、たとえば、「本日のポイントは１００円に１ポイントです。設定が違う場合には、チェッカーチーフに連絡ください。」メッセージを表示させる（ステップＳＴ１８：メッセージ表示手段）。
【００７０】
さらに、ＣＰＵ２１は、当該メッセージをメッセージメモリ２３２のメッセージエリアに格納する（ステップＳＴ１９）。
【００７１】
つぎに、ＣＰＵ２１は、ステップＳＴ２０として印字データメモリ２３３に当該メッセージを追加格納するとともにサインオンシート用の印字データを生成する（印字データ生成手段）。
【００７２】
ＣＰＵ２１は、責任者コード、責任者名およびメッセージの印字データをレシート用紙にプリンタ４１により図８に示すサインオンシート１００を印字発行する（ステップＳＴ２１：サインオンシート印字発行手段）。この処理を終了する。これにより、サインオン宣言がされたので商品登録処理が行われるようになる。
【００７３】
一方、メッセージテーブル１６に当該責任者コードおよびメッセージが格納されていない場合には（ステップＳＴ１７のＮＯ）、ステップＳＴ１８〜ステップＳＴ２１の処理を行われずに、サインオンが宣言されたので商品登録処理が行われるようになる。
【００７４】
以上のように本実施形態によれば、ＰＯＳ端末１２においてキャッシャが責任者コードでサインオンすると、ストアコンピュータ１３からのメッセージデータがサインオンシート１００に印字発行される。
【００７５】
このように、操作責任者であるキャッシャは、ストアコンピュータ１３からのメッセージをレシート用紙に印字発行したサインオンシート１００によりメッセージを確認することで伝達漏れを防止することが可能となる。
【００７６】
たとえば、開店前に、サインオンシート１００のポイント倍率と各ＰＯＳ端末１２のポイント倍率が異なる場合には、営業開始前にＰＯＳ端末１２のポイント倍率の設定を修正することでレシートへの印字のトラブルを防止することが可能となる。
【００７７】
また、全体への連絡事項以外に、昼間、夕方および夜間等の勤務時間帯に応じたメッセージをサインオンシート１００に印字発行することが可能となる。
【００７８】
また、ストアコンピュータ１３において責任者ランクコードに対応したメッセージを設定し、責任者ランクコード毎のサインオンシート１００にメッセージを印字発行することが可能となる。
【００７９】
なお、この発明は前記実施の形態に限定されるものではなく、実施の段階ではその要旨を逸脱しない範囲で構成要素を変形して具体化できる。
【００８０】
本発明は前記実施の形態に開示されている複数の構成要素を適宜な組み合わせにより種々の発明を形成できる。たとえば、実施の形態に示される全構成要素から幾つかの構成要素を削除してもよい。さらに、異なる実施形態にわたる構成要素を組み合わせてもよい。
【００８１】
以上説明したように、本発明は前記実施の形態に限定されるものではなく、実施の段階ではその趣旨を逸脱しない範囲で種々に変形することが可能であるのは勿論である。
【符号の説明】
【００８２】
１１…ＰＯＳシステム、１２…ＰＯＳ端末、１３…ストアコンピュータ、１５…責任者設定テーブル、１６…メッセージテーブル、２１…ＣＰＵ、２２…ＲＯＭ、２３…ＲＡＭ、３８…キーボード、Ｋ１…責任者キー、３９…前面表示部、１００…サインオンシート、２３１…サインオンメモリ、２３２…メッセージメモリ、２３３…印字データメモリ。
【図１】
2015035017.tif 000003
【図２】
2015035017.tif 000004
【図３】
2015035017.tif 000005
【図４】
2015035017.tif 000006
【図５】
2015035017.tif 000007
【図６】
2015035017.tif 000008
【図７】
2015035017.tif 000009
【図８】
2015035017.tif 000010